(57)【特許請求の範囲】
【請求項１】
予め検体抽出試薬が収容された容器本体と、該容器本体の口部に装着される蓋体とからなる検体検出用抽出容器であって；
前記蓋体は、前記容器本体の口部を閉鎖する中栓と、該中栓にヒンジを介して連結されたノズル筒とを備えており、
前記中栓の頂壁には、前記ノズル筒を前記ヒンジを中心に回転させることにより露出し、ぬぐい液が付着した綿球が挿入される綿棒挿入口を当該頂壁に開口するための開口手段が設けられ、
前記ノズル筒の内側には、フイルタが挿着され、その外側には、ノズル封止キャップが被着されていることを特徴とする検体検出用抽出容器。
【請求項２】
前記中栓は、容器口部の外周面に螺着される外筒と、該外筒に連続し、容器口部の内面に当接する内筒と、を備えており、
前記ノズル筒は、ヒンジが連結される中栓当接筒部と、該中栓当接筒部に連続し、フイルタが挿着されているノズル部とを備えていることを特徴とする請求項１記載の検体検出用抽出容器。
【請求項３】
前記開口手段が、開口用突起であることを特徴とする請求項１記載の検体検出用抽出容器。
【請求項４】
前記中栓当接筒部の内側に、シールリングが設けられていることを特徴とする請求項２記載の検体検出用抽出容器。
【請求項５】
前記中栓の頂壁に、ノズル筒に係合する係止突起が立設されていることを特徴とする請求項１記載の検体検出用抽出容器。
【請求項６】
前記容器本体は、可撓性を有することを特徴とする請求項１記載の検体検出用抽出容器。
【請求項７】
前記容器本体は、透明、もしくは半透明であることを特徴とする請求項１、又は６記載の検体検出用抽出容器。
【発明の詳細な説明】
【技術分野】
【０００１】
本発明は、患者が感染症にかかっているかどうかを検出するための、検体検出用抽出容器に関するものである。
【背景技術】
【０００２】
医師等の検査者は、インフルエンザウイルス、アデノウイルス、ＲＳウイルス等の感染症にかかっているかどうかを検出するために、検体検査を行う。この検査には、検体検出用抽出容器とアッセイストリップとの組み合わせが用いられ、例えば、コンタミネーションの発生を防止する、次の様な検体検出用抽出容器が使用されている。（例えば、特許文献１、参照）。
内部に検体抽出試薬を溜める液溜部と、前記抽出試薬を滴下するノズル部とを一体的に形成して容器本体となし、前記液溜部は、可撓性を有するとともに局所（例えば、鼻腔あるいは咽頭）に接触させた綿棒を挿入できるように形成され、前記ノズル部は、前記液溜部よりも小径に形成され、前記液溜部と前記ノズル部との間にフイルタ座を形成し、前記フイルタ座に前記抽出試薬を濾過するフイルタを装着し、前記ノズル部の周囲をノズル封止キャップで開閉可能に封止した検体検出用抽出容器。
【０００３】
【特許文献１】実用新案登録第３１０７８２４号公報
【発明の開示】
【発明が解決しようとする課題】
【０００４】
従来例には、次のような問題がある。
(1)検査者は、予め検体抽出試薬が収容されている液溜部に、患者の局所に接触させた綿球を挿入して、綿球に吸着しているぬぐい液を検体抽出試薬と混合後、アッセイストリップへの滴下作業をおこなうが、綿球を挿入する前に前記液溜部の試薬がフイルタを通って小径部に少量流下して溜まってしまう。そのため、ノズル封止キャップを外して、アッセイストリップにノズルから滴下する最初の数滴は、ぬぐい液の混じっていない試薬が注出されるので、検査者は最初の数滴を捨てる工程を経た後、アッセイストリップへ滴下しなければならない。
【０００５】
(2)容器本体に上キャップが螺着されているため、検査時には、前記上キャップを回して該容器本体に着脱しなければならないので、面倒である。又、上キャップを外したときに、該上キャップを無くしたり、又は、該上キャップにゴミ等が付着しやすい等衛生上の問題がある。
(3)容器本体に上キャップが螺着されているため、螺着が緩んだ場合、螺着部から液溜部内の検体抽出試薬が漏れる虞がある。
【０００６】
この発明は、上記事情に鑑み、ぬぐい液が混じった検体抽出試薬をアッセイストリップへ滴下する際に、最初の数滴を捨てる工程を省略できる検体検出用抽出容器を提供することを目的とする。他の目的は、検査者の使い勝手を向上するとともに、液漏れが発生しない検体検出用抽出容器を提供することを目的とする。
【課題を解決するための手段】
【０００７】
この発明は、予め検体抽出試薬が収容された容器本体と、該容器本体の口部に装着される蓋体とからなる検体検出用抽出容器であって；前記蓋体は、前記容器本体の口部を閉鎖する中栓と、該中栓にヒンジを介して連結されたノズル筒とを備えており、前記中栓の頂壁には、前記ノズル筒を前記ヒンジを中心に回転させることにより露出し、ぬぐい液が付着した綿球が挿入される綿棒挿入口を当該頂壁に開口するための開口手段が設けられ、前記ノズル筒の内側には、フイルタが挿着され、その外側には、ノズル封止キャップが着脱容易なスナップ係合等の手段により被着されていることを特徴とする。
【０００８】
この発明の中栓は、容器口部の外周面に螺着される外筒と、該外筒に連続し、前記容器口部の内面に当接する内筒と、を備えており、ノズル筒は、ヒンジが連結される中栓当接筒部と、該中栓当接筒部に連続し、フイルタが挿着されているノズル部とを備えていることを特徴とする。この発明の開口手段が、開口用突起であることを特徴とする。この発明の中栓当接筒部の内側に、シールリングが設けられていることを特徴とする。この発明の中栓の頂壁に、ノズル筒に係合する係止突起が立設されていることを特徴とする。この発明の容器本体は、可撓性を有することを特徴とする。この発明の容器本体は、透明、もしくは半透明であることを特徴とする。
【発明の効果】
【０００９】
この発明は、以上のように構成したので、容器本体を逆さにしてノズルを下向きにしたときに初めて、ぬぐい液が混じった検体抽出試薬がフイルタを通り、ノズル筒から滴下する。そのため、最初の液滴から、検査の対象にすることができる。従って、従来例と異なり、最初の数滴を捨てる工程を省略することができる。
【００１０】
また、中栓とノズル筒とがヒンジ結合されているので、従来例と異なり、開けやすく、又、落下等の虞もなく衛生的である。
さらに、中栓は、外筒に連続し、前記口部の内面に当接する内筒を備えているので、検体抽出試薬が漏れるのを防止することができる。また、中栓当接筒部の内側に、シールリングを設けたので、この部分から検体抽出試薬が漏れるのを防止することができる。
さらに、容器本体を可撓性のものとしたので、ぬぐい液の搾り出しと、アッセイストリップへの滴下が容易になる。また容器本体を、透明もしくは半透明としたので視認性が良好となり、作業効率が改善される。
【発明を実施するための最良の形態】
【００１１】
この発明の実施の形態を図１〜図３により説明する。
容器本体１は、合成樹脂により形成された薄肉で可撓性を有する、透明もしくは半透明な有底の円筒体である。容器本体の口部３外周には、ねじ部５が形成され、該ねじ部５の下部には、フランジ７が設けられている。
【００１２】
容器本体１には、蓋体１０が装着されている。蓋体１０は、容器口部３に螺着される中栓１２と、該中栓１２とヒンジ１４を介して連結されたノズル筒３０とを備えている。
【００１３】
前記中栓１２は、外筒１６と、該外筒１６に頂壁１７を介して連結されている内筒１８と、該頂壁１７の上面周縁側に形成された係止突起１９と、該頂壁１７の中央に形成された綿棒挿入口２０と、を備えている。外筒１６の内面には、容器口部のねじ部５と螺合するねじ部２１が設けられており、その下端は、容器口部３のフランジ７に近接している。又、外筒１６の外周面上端部には、指入れ凹部２３が設けられている。
【００１４】
内筒１８は、容器口部３の内周面に液密に当接する。綿棒挿入口２０は、開口手段、例えば、開口用突起２５により閉鎖されている。開口用突起２５は、前記綿棒挿入口２０の縁部に破断可能な薄肉部を介して連結されている円筒基部２７と、該円筒基部２７に連続する円柱部２８とを備えている。なお、前記円柱部２８の先端部には、面取部２９が設けられている。
【００１５】
ノズル筒３０は、ヒンジ１４が連結される中栓当接筒部３１と、該中栓当接筒部３１に連続し、フイルタ３３が挿着されているノズル部３５と、を備えている。前記中栓当接筒部３１の内面は前記係止突起１９に当接し、又、その内側には、シールリング３６が立設されている。ノズル部３５の中間部にはノズル収容部３７が設けられ、該フィルタ収容部３７には、フイルタ３３が挿着されている。ノズル筒３０の先端部には、ノズル封止キャップ３８が被着されている。
【００１６】
次に、本実施の形態の作動について説明する。
容器本体１を手で握り、指入れ凹部２３に指をかけて中栓１２の指掛け部３２を上方へ押し上げると、ノズル筒３０はヒンジ１４を中心に回転し、開口用突起２５が露出する。この開口用突起２５を指で摘んで押し倒すか、或いはノズル封止キャップ３８をノズル部３５から取り外し、開口用突起２５に被せて押し倒すことにより、該開口用突起２５の基部と綿棒挿入口２０の縁部とを接続する薄肉部が裂き切れ、頂壁１７から分離し、綿棒挿入口２０が開口する。
【００１７】
綿棒４０を手で持ち、患者の咽喉などの局所に綿球４２を接触させてぬぐい液Ｓを採取する。
【００１８】
次に図２に示すように、ぬぐい液Ｓが付着した綿球４２を綿棒挿入口２０に挿入し、検体抽出試薬Ｔに浸しながらよく攪拌する。その後、容器本体１の外側から綿球４２を摘み、数回しごいて検体Sを良く搾り出す。
【００１９】
綿棒４０を容器本体１から抜き出した後、ノズル筒３０を指で掴み、ヒンジ１４を中心に回転させ元の状態に戻す。この時、中栓当接筒部３１の係合部３４は、係止突起１９に係止し、シールリング３６の下端は頂壁１７に液密に当接するので、液漏れの心配がない。
【００２０】
ノズル封止キャップ３８をノズル筒３０から外した後、アッセイストリップ４５の試料添加部４６にぬぐい液Ｓと検体抽出試薬Ｔとの混合液Ｗを数滴滴下する。以降、アッセイストリップ４５を用いて、検体を検出し、陽性／陰性の判定を行う。  
【図面の簡単な説明】
【００２１】
【図１】本件発明の実施の形態を示す縦断面図である。
【図２】容器本体に綿棒を挿入した時の状態を示す縦断面図である。
【図３】検査時の状態を示す縦断面図である。
【符号の説明】
【００２２】
１    容器本体
３    容器口部
１０  蓋体
１２  中栓
１４  ヒンジ
１６  外筒
１７  頂壁
１８  内筒
２０  綿棒挿入口
２５  指押開口用突起
３０  ノズル筒
３３  フイルタ
【図１】
0004697783.tif 000002
【図２】
0004697783.tif 000003
【図３】
0004697783.tif 000004